(57)【要約】【課題】  乳幼児の腰部を安定して拘束することのできる育児器具の座席および腰パッドを提供する。【解決手段】  座席に備え付けの腰ベルト６は、着座した乳幼児１０の腰部に横から当接するように内側に突出した腰パッド４０を備える。腰パッド４０は、スリーブ２０と、インサート３０とを含む。スリーブ２０は、腰ベルト６を通過させる通路と、開口２２とを有する。インサート３０は、腰ベルト６とともにスリーブ２０内に入れられるものであり、開口２２から内側に向かって突出する隆起部３１を有する。【選択図】      図５
2005112066.tif 000002
【特許請求の範囲】
【請求項１】
股ベルトおよび腰ベルトを備え、
前記腰ベルトは、着座した子供の腰部に横から当接するように内側に突出した腰パッドを含むことを特徴とする、育児器具の座席。
【請求項２】
前記腰パッドは、腰ベルトに取り外し可能に装着されている、請求項１に記載の育児器具の座席。
【請求項３】
前記腰パッドは、
腰ベルトを通過させる通路を有すると共に、内側に向く面に開口を有するスリーブと、
前記スリーブ内に入れられ、前記開口から内側に向かって突出する隆起部を有するインサートとを備える、請求項１または２に記載の育児器具の座席。
【請求項４】
前記腰ベルトに対して常に幅方向外側に向く付勢力を作用させる付勢手段をさらに備える、請求項１〜３のいずれかに記載の育児器具の座席。
【請求項５】
前記付勢手段は、前記スリーブを弾性復帰力によって外側に向かって付勢する手段を含む、請求項４に記載の育児器具の座席。
【請求項６】
前記スリーブは弾性材料からなり、
前記スリーブの後方端は、座席の壁を後方に通過して幅方向内側に曲げられている、請求項５に記載の育児器具の座席。
【請求項７】
育児器具の座席に備え付けの腰ベルトを通過させる通路を有すると共に、一方の側面に開口を有するスリーブと、
前記スリーブ内に入れられ、前記開口から突出する隆起部を有するインサートとを備える、腰パッド。
【発明の詳細な説明】
【技術分野】
【０００１】
この発明は、乳母車、チャイルドシート、育児椅子等の座席付き育児器具に関し、特に子供の身体の成長に応じてシートベルトの位置を変更することのできる育児器具の座席に関するものである。
【背景技術】
【０００２】
育児器具の座席に乗せられる子供は、成長とともに身体が大きくなる。そのため、シートベルトを備えた座席の場合には、子供の身体の大きさに合わせてシートベルトの位置を調節することが望ましい。育児器具の座席に備え付けのシートベルトは、通常、股ベルトと、この股ベルトの上端に連結される１対の腰ベルトとを含む。中には、股ベルトおよび腰ベルトに加えて肩ベルトを備えるものもある。
【０００３】
特開２０００−２９６７３４号公報（特許文献１）に開示された自動車用年少者安全座席においては、股ベルトの位置を前後に調節できるようにしている。
【０００４】
特開２００１−３１０６６３号公報（特許文献２）に開示された年少者安全座席においては、股ベルトの座部からの高さを調節することができるようにしている。
【０００５】
特開２００３−２２６１７８号公報（特許文献３）に開示された育児器具においては、肩ベルトの高さを調節することができるようにしている。
【特許文献１】特開２０００−２９６７３４号公報（図１８、図１９）
【特許文献２】特開２００１−３１０６６３号公報
【特許文献３】特開２００３−２２６１７８号公報
【発明の開示】
【発明が解決しようとする課題】
【０００６】
上記の特許文献１〜３に見られるように、従来から、子供の成長に応じて股ベルトおよび肩ベルトの位置を調節することが行なわれている。しかしながら、腰ベルトについては、通常、その位置を変更することができない。一般的に、腰ベルトは、座席の背もたれ部の背後から前方に引き出される。背もたれ部に設けられた腰ベルト引出部の位置は、固定されている。
【０００７】
そのため、身体が小さい乳幼児の場合、腰ベルト引出部近傍に位置する腰ベルトと腰部（胴部）との間に隙間ができてしまう。このような隙間があると、子供の身体を座席上で安定して拘束することができなくなる。
【０００８】
この発明の目的は、特に子供の腰部を安定して拘束することのできる育児器具の座席を提供することである。
【０００９】
この発明の他の目的は、座席に着座する子供の腰部を安定して拘束することのできる腰パッドを提供することである。
【課題を解決するための手段】
【００１０】
この発明に従った育児器具の座席は、股ベルトおよび腰ベルトを備える。腰ベルトは、着座した子供の腰部に横から当接するように内側に突出した腰パッドを含む。
【００１１】
上記構成の本発明によれば、身体の小さい乳幼児に対しても腰パッドによって腰部を安定して拘束することができる。
【００１２】
好ましくは、腰パッドは、腰ベルトに取り外し可能に装着されている。この場合、身体が小さい乳幼児に対しては腰パッドによって腰部を安定して拘束するが、成長して身体が大きくなった段階で腰バッドを取り外す。身体が大きい子供に対しては、腰ベルトそのものによって腰部を拘束することができる。
【００１３】
一つの実施形態では、腰パッドは、腰ベルトを通過させる通路を有すると共に、内側に向く面に開口を有するスリーブと、このスリーブ内に入れられ、上記開口から内側に向かって突出する隆起部を有するインサートとを備える。
【００１４】
好ましくは、育児器具の座席は、腰ベルトに対して常に幅方向外側に向く付勢力を作用させる付勢手段を備える。例えば、付勢手段は、スリーブを弾性復帰力によって外側に向かって付勢する手段を含む。より具体的には、スリーブは弾性材料からなり、スリーブの後方端は、座席の壁を後方に通過して幅方向内側に曲げられている。このように、腰ベルトに対して常に幅方向外側に向く付勢力を作用させる付勢手段を備えれば、腰ベルトを解放状態にしたとき、この腰ベルトは幅方向外側の位置にもたらされる。したがって、子供を座席に乗せる際、または子供を座席から降ろす際に、腰ベルトの存在が邪魔にならない。
【００１５】
この発明に従った腰パッドは、スリーブと、インサートとを備える。スリーブは、育児器具の座席に備え付けの腰ベルトを通過させる通路を有すると共に、一方の側面に開口を有する。インサートは、上記スリーブ内に入れられ、上記の開口から突出する隆起部を有する。
【発明を実施するための最良の形態】
【００１６】
図１および図２は、この発明の一実施形態を図解的に示している。乳母車、チャイルドシート、育児椅子等の育児器具の座席１は、座部２と、座部２の後端縁から上方に立ち上がって延びる背もたれ部３とを備える。
【００１７】
座席１は、座部２の前方部分から上方に引き出される股ベルト４と、背もたれ部３の下方両側部にあるベルト引出部１１，１２から前方に引き出される１対の腰ベルト６、７とを備える。股ベルト４の上端には連結具５が取付けられており、１対の腰ベルト６，７の先端は連結具５に取り外し可能に連結される。他の実施形態として、股ベルト４の先端にループ部を形成し、腰ベルトの一方または両方をループ部に通すようにし、１対の腰ベルトの先端間を取り外し可能に接続するようにしてもよい。
【００１８】
図示していないが、育児器具の座席１は、股ベルト４および腰ベルト６，７に加えて、１対の肩ベルトを備えるようにしてもよい。この場合、肩ベルトと腰ベルトとを共通の連続したベルトで構成するようにしてもよい。
【００１９】
図２は、座席１に着座した乳幼児１０の身体を股ベルト４（連結具５によって隠れている）および１対の腰ベルト６、７によって拘束している状態の平面図である。１対の腰ベルト６，７は、それぞれ、着座した乳幼児１０の腰部に横から当接するように内側に突出した腰パッド８、９を含む。
【００２０】
背もたれ部３に設けられているベルト引出部１１，１２の間隔は一定であるが、身体の小さい乳幼児１０の腰部を、１対の腰パッド８、９によって安定して拘束することができる。好ましくは、腰パッド８，９を、それぞれ、腰ベルト６，７から取り外し可能に設けておく。このようにすれば、子供が成長して体が大きくなった段階で腰パッド８、９を取り外すことができる。身体が大きい子供に対しては、腰パッドを有しない１対の腰ベルト６、７によって腰部を安定して拘束できる。
【００２１】
図３〜図６は、腰パッドの具体的な態様を示している。図示する腰パッド４０は、スリーブ２０（図３）と、インサート３０（図４）とを備える。図５は、１対の腰ベルト６、７によって乳幼児１０の腰部を拘束している状態を示し、図６は、腰ベルト６、７を連結具５から解放している状態を示している。腰パッド４０は、左右の腰ベルト６、７に関連して１対設けられるが、それらは実質的に同じ構造であるので、一方の腰パッドについてのみ説明する。
【００２２】
図３に示すように、スリーブ２０は、ベルト６を通過させるベルト通路２１を有すると共に、座席の内側に向く面に開口２２を有している。
【００２３】
図４、図５および図６に示すように、インサート３０は、腰ベルト６と共にスリーブ２０内に入れられるものであり、スリーブの開口２２から内側に突出する隆起部３１を有している。
【００２４】
スリーブ２０およびインサート３０の材質は、例えばウレタンフォームである。具体的には、インサート３０を吸収ウレタンで構成し、スリーブ２０を反発性または弾性力のあるウレタンで構成する。
【００２５】
図５および図６に示すように、好ましくは、スリーブ２０の後方端は、座席の壁、具体的には背もたれ部３を後方に通過して幅方向内側に曲げられている。スリーブ２０を弾性材料で形成しておけば、後方端が内側に曲げられたスリーブ２０には、常に弾性復帰力によって外側に向く付勢力が作用する。
【００２６】
図５に示す腰ベルト装着状態では、インサート３０の隆起部３１が乳幼児１０の腰部に横から当接することによって腰部を安定して拘束する。乳幼児が成長して身体が大きくなった段階では、インサート３０をスリーブ２０から取り外す。
【００２７】
図５に示す状態から腰ベルト６の先端を連結具５から解放すると、スリーブ２０の弾性復帰力によりスリーブ２０は図６に示すように外側の位置にもたらされる。腰ベルト６を解放している状態では、腰ベルト６は常に図６に示す外側の位置に維持されるので、子供を座席に乗せる際や、座席から降ろす際に腰ベルト６の存在が邪魔になることはない。
【００２８】
なお、腰ベルト６に対して常に幅方向外側に向く付勢力を作用させる付勢手段としては、種々のものが考えられる。例えば、腰ベルト６自体を弾性材料で形成するようにしてもよいし、スリーブ２０と座席の側壁とを弾性部材で接続するようにしてもよい。
【００２９】
上述のように腰ベルト６に対して常に外側に向く付勢力を作用させるようにしておけば、シートベルト装着時において腰ベルトによる乳幼児の胴部（腹部）への圧迫を避けることができる。同様に、図示していないが、股ベルトに対しても常に座席の前方に向く付勢力を作用させるようにしておけば、股ベルトによる乳幼児の腹部への圧迫を避けることができる。
【００３０】
さらに、股ベルトあるいは股ベルト先端の連結具と乳幼児の腹部との間の隙間を埋めるために、股ベルトの背面あるいは連結具の背面に股パッドを設けて置くのが望ましい。股ベルト背面に沿う股パッドは、好ましくは、股ベルトの自立を可能にするものである。特に身体が小さい乳幼児に対して適合できるようにするために、股パッドの内面側にさらに内側パッドを取り外し可能に取付けておいてもよい。この場合、子供の成長に応じて、内側パッドを取り外す。
【００３１】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３２】
この発明は、シートベルトを備えた育児器具に適用されるものであり、特に身体の小さい乳幼児の腰を安定して拘束することが望まれる育児器具に有利に適用され得る。
【図面の簡単な説明】
【００３３】
【図１】この発明に従った育児器具の座席を図解的に示した図である。
【図２】図１の座席に乳幼児が着座している状態の図解的平面図である。
【図３】この発明の実施形態の主要な構成要素であるスリーブを示す図であり、（ａ）は正面図、（ｂ）は（ａ）のＢ−Ｂ線断面図、（ｃ）は（ａ）のＣ−Ｃ線断面図である。
【図４】この発明の実施形態の主要な構成要素であるインサートを示す図であり、（ａ）は正面図、（ｂ）は（ａ）のＢ−Ｂ線断面図、（ｃ）は（ａ）のＣ−Ｃ線断面図である。
【図５】この発明の一実施形態を示す断面図である。
【図６】腰ベルトを解放している状態を示す断面図である。
【符号の説明】
【００３４】
１  座席、２  座部、３  背もたれ部、４  股ベルト、５  連結具、６，７  腰ベルト、８，９  腰パッド、１０  乳幼児、１１，１２  ベルト引出部、２０  スリーブ、２１  ベルト通路、２２  開口、３０  インサート、３１  隆起部、４０  腰パッド。
【図１】
2005112066.tif 000003
【図２】
2005112066.tif 000004
【図３】
2005112066.tif 000005
【図４】
2005112066.tif 000006
【図５】
2005112066.tif 000007
【図６】
2005112066.tif 000008